【手続補正書】
【提出日】平成28年6月16日(2016.6.16)
【手続補正１】
【補正対象書類名】特許請求の範囲
【補正対象項目名】全文
【補正方法】変更
【補正の内容】
【特許請求の範囲】
【請求項１】
チャネルを介してレシーバと通信するトランスミッタ内の等化器の係数を適応させる方法であって、
前記レシーバ内の増幅器の利得値が該増幅器の限度内にあるか否かを前記レシーバによって判定するステップと、
アップ要求であるかダウン要求であるかの決定をアキュムレータで受け取るステップと、
前記アキュムレータによって、現在の垂直オフセット値に前記アップ要求を加えるかまたは現在の垂直オフセット値から前記ダウン要求を減じることによって、前記受け取った決定を蓄積するステップと、
前記蓄積の結果をコンパレータで受け取るステップと、
前記コンパレータによって、前記蓄積の結果を、前記垂直オフセット値の上限及び下限と比較するステップと、
前記蓄積の結果が、前記垂直オフセット値の前記上限と前記下限の少なくとも一方に達しているという決定に応答して、フィードバック経路を用いて前記アキュムレータを再スタート・レベルにリセットするステップと、
前記レシーバによる前記判定の結果を前記トランスミッタに選択的に伝えるステップと、
前記利得値が前記増幅器の前記限度を満たさない場合には、前記トランスミッタにおける前記等化器の係数に対する１以上の調整を防止するステップ
を含む方法。
【請求項２】
前記調整は前記等化器の係数に対するアップ要求およびダウン要求を含む、請求項１に記載の方法。
【請求項３】
前記利得値が前記増幅器の下限を満たしていない場合には、上方調整要求は阻止される、請求項２に記載の方法。
【請求項４】
前記利得値が前記増幅器の上限を満たしていない場合には、下方調整要求は阻止される、請求項２に記載の方法。
【請求項５】
前記利得値が前記増幅器の前記限度内にあるか否かに基づいて、１つまたは複数のフラグを設定するステップをさらに含む、請求項１に記載の方法。
【請求項６】
前記１つまたは複数のフラグに基づいて、前記トランスミッタへの前記等化器の係数調整の伝送をイネーブルにするステップをさらに含む、請求項５に記載の方法。
【請求項７】
前記１つまたは複数のフラグに基づいて、前記トランスミッタへの前記等化器の係数調整の伝送をディセーブルにするステップをさらに含む、請求項５に記載の方法。
【請求項８】
前記等化器は、送信有限インパルス応答（ＴＸＦＩＲ）フィルタを備え、前記増幅器は可変利得増幅器から構成される、請求項１に記載の方法。
【請求項９】
前記ＴＸＦＩＲフィルタで受け取った要求がアップ要求であるかダウン要求であるかを決定するステップと、
前記可変利得増幅器が該可変利得増幅器の上限にあるか否かと、前記可変利得増幅器が該可変利得増幅器の下限にあるか否かとのうちの一方を判定するステップと、
前記ＴＸＦＩＲフィルタで受け取った前記要求がアップ要求であるかダウン要求であるかの決定に基づいて、及び、前記可変利得増幅器が該可変利得増幅器の上限もしくは下限にあるか否かの判定に基づいて、アップ要求またはダウン要求をバック・チャネルを介して前記トランスミッタに伝えるステップ
をさらに含む、請求項８に記載の方法。
【請求項１０】
チャネルを介してレシーバと通信するトランスミッタ内の等化器の１以上の係数を適応させるための装置であって、
メモリと、
前記メモリに結合された少なくとも１つのハードウェア・デバイス
を備え、
前記少なくとも１つのハードウェア・デバイスは、
前記レシーバ内の増幅器の利得値が該増幅器の限度内にあるか否かを判定するステップと、
アップ要求であるかダウン要求であるかの決定をアキュムレータで受け取るステップと、
前記アキュムレータによって、現在の垂直オフセット値に前記アップ要求を加えるかまたは現在の垂直オフセット値から前記ダウン要求を減じることによって、前記受け取った決定を蓄積するステップと、
前記蓄積の結果をコンパレータで受け取るステップと、
前記コンパレータによって、前記蓄積の結果を、前記垂直オフセット値の上限及び下限と比較するステップと、
前記蓄積の結果が、前記垂直オフセット値の前記上限と前記下限の少なくとも一方に達しているという決定に応答して、フィードバック経路を用いて前記アキュムレータを再スタート・レベルにリセットするステップと、
前記利得値が前記増幅器の前記限度を満たしていない場合には、前記トランスミッタと前記レシーバ間に確立されたバック・チャネルを介して前記判定するステップの結果の伝送を選択的にイネーブルにするか阻止することによって、前記等化器の係数に対する１以上の調整を防止するステップ
を実施するように動作可能であることからなる、装置。
【請求項１１】
前記調整は、前記係数に対するアップ要求およびダウン要求を含む、請求項１０に記載の装置。
【請求項１２】
前記利得値が前記増幅器の下限を満たしていない場合には、上方調整要求は阻止される、請求項１１に記載の装置。
【請求項１３】
前記利得値が前記増幅器の上限を満たしていない場合には、下方調整要求は阻止される、請求項１１に記載の装置。
【請求項１４】
前記少なくとも１つのハードウェア・デバイスは、前記利得値が前記増幅器の前記限度内にあるか否かに基づいて、１つまたは複数のフラグを設定するようにさらに構成される、請求項１０に記載の装置。
【請求項１５】
前記少なくとも１つのハードウェア・デバイスは、前記１つまたは複数のフラグに基づいて、前記トランスミッタへの前記係数の調整の伝送をイネーブルにするようにさらに構成される、請求項１４に記載の装置。
【請求項１６】
前記少なくとも１つのハードウェア・デバイスは、前記１つまたは複数のフラグに基づいて、前記トランスミッタへの前記係数の調整の伝送をディセーブルにするようにさらに構成される、請求項１４に記載の装置。
【請求項１７】
チャネルを介してレシーバと通信するトランスミッタ内の等化器の係数を適応させるための製品であって、
１つまたは複数のプログラムを含む非一時的な機械可読記録可能媒体を備え、
前記プログラムは、実行されると、
前記レシーバ内の増幅器の利得値が該増幅器の限度内にあるか否かを判定するステップと、
アップ要求であるかダウン要求であるかの決定をアキュムレータで受け取るステップと、
前記アキュムレータによって、現在の垂直オフセット値に前記アップ要求を加えるかまたは現在の垂直オフセット値から前記ダウン要求を減じることによって、前記受け取った決定を蓄積するステップと、
前記蓄積の結果をコンパレータで受け取るステップと、
前記コンパレータによって、前記蓄積の結果を、前記垂直オフセット値の上限及び下限と比較するステップと、
前記蓄積の結果が、前記垂直オフセット値の前記上限と前記下限の少なくとも一方に達しているという決定に応答して、フィードバック経路を用いて前記アキュムレータを再スタート・レベルにリセットするステップと、
前記レシーバの前記増幅器の利得値に関する情報を前記トランスミッタに選択的に伝えるステップと、
前記レシーバの前記増幅器の利得値に関する前記伝えられた情報に基づいて、前記利得値が前記可変利得増幅器の前記限度を満たさない場合には、前記係数に対する１以上の調整を防止するステップ
を実施することからなる、製品。
【請求項１８】
前記調整は前記係数に対するアップ要求およびダウン要求を含む、請求項１７に記載の製品。
【請求項１９】
前記利得値が前記増幅器の下限を満たしていない場合には、上方調整要求は阻止される、請求項１８に記載の製品。
【請求項２０】
前記利得値が前記増幅器の上限を満たしていない場合には、下方調整要求は阻止される、請求項１８に記載の製品。
【請求項２１】
前記利得値が前記増幅器の前記限度内にあるか否かに基づいて、１つまたは複数のフラグを設定するステップをさらに含む、請求項１７に記載の製品。
【請求項２２】
チャネルを介してレシーバと通信するトランスミッタ内の等化器の係数を適応させるための集積回路であって、
前記集積回路は、利得制限回路と要求ゲート回路を備え、
前記利得制限回路は、
前記レシーバ内の増幅器の利得値が該増幅器の限度内にあるか否かを判定し、
アップ要求であるかダウン要求であるかの決定を受け取り、
現在の垂直オフセット値に前記アップ要求を加えるかまたは現在の垂直オフセット値から前記ダウン要求を減じることによって、前記受け取った決定を蓄積し、
前記蓄積の結果を受け取り、
前記蓄積の結果を、前記垂直オフセット値の上限及び下限と比較し、及び、
前記蓄積の結果が、前記垂直オフセット値の前記上限と前記下限の少なくとも一方に達しているという決定に応答して、アキュムレータを再スタート・レベルにリセットするように動作可能であり、
前記要求ゲート回路は、前記利得値が前記増幅器の前記限度を満たさない場合には、前記係数に対する１以上の調整を防止するために、バック・チャネルを介して前記トランスミッタに調整要求を選択的に伝えるように動作可能であることからなる、集積回路。
【請求項２３】
前記調整は前記係数に対するアップ要求およびダウン要求を含む、請求項２２に記載の集積回路。
【請求項２４】
前記利得値が前記増幅器の下限を満たしていない場合には、上方調整要求は阻止される、請求項２３に記載の集積回路。
【請求項２５】
前記利得値が前記増幅器の上限を満たしていない場合には、下方調整要求は阻止される、請求項２３に記載の集積回路。
【請求項２６】
前記利得制限回路は、前記利得値が前記増幅器の前記限度内にあるか否かに基づいて、１つまたは複数のフラグを設定する、請求項２２に記載の集積回路。
【請求項２７】
前記要求ゲート回路は、前記１つまたは複数のフラグに基づいて、前記トランスミッタへの前記係数の調整の伝送をイネーブルにする、請求項２６に記載の集積回路。
【請求項２８】
前記要求ゲート回路は、前記１つまたは複数のフラグに基づいて、前記トランスミッタへの前記係数の調整の伝送をディセーブルにする、請求項２６に記載の集積回路。